(57)【要約】【課題】電池の充電が簡単に行える補聴器の充電装置を提供する。  【解決手段】本発明は、補聴器の電池収納部３が挿入される挿入口４を有する本体ケース１と、この本体ケース１内において、前記補聴器の電池収納部３を補聴器外に露出させる電池露出手段７と、この露出後の電池収納部３に収納された状態の電池８に当接させる第一、第二の充電端子９、１０と、この第一、第二の充電端子９、１０を電池８との当接側へ移動させる第一、第二の充電端子駆動手段１１、１２と、前記第一、第二の充電端子駆動手段１１、１２を介して電池８の電圧を確認する電圧判定回路１４とを備え、前記電池交換が必要と判断された時には、前記第一、第二の充電端子駆動手段１１、１２により、電池８を、電池収納部３から補聴器外に排出する。【選択図】図２
2010283640.tif 000002
【特許請求の範囲】
【請求項１】
補聴器の電池収納部が挿入される挿入口を有する本体ケースと、前記本体ケース内において、前記補聴器の前記電池収納部を補聴器外に露出させる電池露出手段と、この露出後の前記電池収納部に収納された状態の電池に当接させる充電端子と、前記充電端子を前記電池との当接側へ移動させる充電端子駆動手段と、前記充電端子を介して前記電池の電圧を確認する充電状態確認手段とを備え、
前記充電状態確認手段により電池交換が必要と判断された時には、前記充電端子駆動手段により、前記電池を、前記電池収納部から補聴器外に排出する構成とした補聴器の充電装置。
【請求項２】
前記充電端子は、前記電池を間に、前記電池の左右に設けた第一の充電端子および第二の充電端子により構成し、
前記充電端子駆動手段は、前記第一の充電端子および前記第二の充電端子を独立して駆動する第一の充電端子駆動手段および第二の充電端子駆動手段により構成し、充電時は、電池に前記第一の充電端子および前記第二の充電端子を当接させて充電し、この電池を前記電池収納部から補聴器外に排出時には前記第一の充電端子により、この電池を、前記電池収納部から補聴器外に押し出し、電池交換時には、交換用電池を、前記第二の充電端子により前記電池収納部内に押し込む構成とした請求項１に記載の補聴器の充電装置。
【請求項３】
前記本体ケース内における前記第二の充電端子側には、電池の排出路と、交換用電池の供給路とを設けた請求項１、または２に記載の補聴器の充電装置。
【請求項４】
前記本体ケース内における前記第二の充電端子の下方に電池の排出路を設けるとともに、前記第二の充電端子上方に前記交換用電池の供給路を設けた請求項３に記載の補聴器の充電装置。
【請求項５】
前記交換用電池の供給路の下方には、前記交換用電池の落下防止体を設けた請求項４に記載の補聴器の充電装置。
【発明の詳細な説明】
【技術分野】
【０００１】
本発明は、補聴器の充電装置に関するものである。
【背景技術】
【０００２】
補聴器は装着感を高めるために小型化されており、これによりその電池収納部に収納される電池としても小型のボタン型電池が活用されている。小型の電池は電池容量が小さいので、使用に伴い電池交換を頻繁にしなければならないが、電池交換時に電池を取り出したり、交換用電池を装着したりすることは大変な作業となる。特に、この作業時において、古い電池の落下ならまだしも、交換用電池自体を落下させてしまった場合には、それが転動し、失ってしまうと、以降の補聴器使用が出来なくなるので、大きな問題となる。そこで、この電池や交換用電池を電磁石で吸着することで、電池交換時の落下を防止するものが提案されている（例えば下記特許文献１）。
【先行技術文献】
【特許文献】
【０００３】
【特許文献１】実用新案登録第３１４８８３０号公報
【発明の概要】
【発明が解決しようとする課題】
【０００４】
上記従来例においては、電池交換時に、この電池や交換用電池を電磁石で吸着して搬送するので、不用意な落下が起きず、その作業性が良いものとなる。しかしながら、電池として充電電池を用いた場合には、電池の交換作業が激減する分、この電池の充電作業を頻繁に行う必要がある。このように頻繁に行われる電池の充電作業時にも、補聴器から電池を取り出し、それを充電し、再びこの電池を補聴器内に装着するのは、上記電磁石を用いたとしても、作業性の良いものではなかった。
【０００５】
そこで本発明は、電池の充電が簡単に行える充電装置を提供することを目的とするものである。  
【課題を解決するための手段】
【０００６】
そしてこの目的を達成するために本発明は、補聴器の電池収納部が挿入される挿入口を有する本体ケースと、この本体ケース内において、前記補聴器の電池収納部を補聴器外に露出させる電池露出手段と、この露出後の電池収納部に収納された状態の電池に当接させる充電端子と、この充電端子を電池との当接側へ移動させる充電端子駆動手段と、前記充電端子を介して電池の電圧を確認する充電状態確認手段とを備え、前記充電状態確認手段により電池交換が必要と判断された時には、前記充電端子駆動手段により、前記電池を、電池収納部から補聴器外に排出する構成と、これにより所期の目的を達成するものである。
【発明の効果】
【０００７】
本発明においては、電池の充電時には、補聴器の電池収納部を、充電装置の挿入口に挿入すれば、電池露出手段により、補聴器の電池収納部を補聴器外に露出させることができ、しかもこの露出後の電池収納部に収納された状態の電池に充電端子が当接されるので、この充電作業時に電池を取り出す必要が無く、よって充電作業は極めて簡単に行われるものとなる。また、充電時には、充電端子駆動手段により、この充電端子を電池との当接側へ移動させるが、この時充電端子を介して電池の電圧を充電状態確認手段で確認することができるので、充電状態確認手段により電池交換が必要と判断された時には、充電端子駆動手段により、電池を、電池収納部から補聴器外に排出することができるので、この電池交換も簡単に行えるものとなる。
【図面の簡単な説明】
【０００８】
【図１】本発明の一実施形態を示す透視斜視図
【図２】本発明の一実施形態を示す透視正面図
【図３】本発明の一実施形態を示すブロック構成図
【図４】(a)から(h)は本発明の一実施形態の動作を示す透視正面図
【発明を実施するための形態】
【０００９】
以下本発明の実施形態を、添付図面を用いて説明する。
（実施形態）
図１に示すように本発明の一実施形態にかかる補聴器の充電装置の本体ケース１は、上下面が平面となった円筒状をしており、上面には、図２に示す補聴器２の電池収納部３が挿入される挿入口４と、交換用電池５を押し込む開口部６が設けられている。また、この本体ケース１内には、図２のごとく、前記補聴器２の電池収納部３を補聴器２外に露出させる電池露出手段７と、この露出後の電池収納部２に収納された状態の電池８を間に、この電池８の左右に設けた第一の充電端子９、第二の充電端子１０と、これらの第一の充電端子９、第二の充電端子１０を独立して駆動する第一の充電端子駆動手段１１、第二の充電端子駆動手段１２が設けられている。つまり、図１のごとく挿入口４から、図２のごとく補聴器２の電池収納部３部分を挿入すると、この挿入口４の下方に連続する挿入路１３の下方に設けた電池露出手段７により、電池収納部３が補聴器２外に引き出され、これにより電池収納部３が補聴器２外に露出するようになっているのである。
【００１０】
具体的には、電池露出手段７は突起により形成されており、挿入路１３に補聴器２を挿入すれば、その電池収納部３の下方に設けた突部（図示せず）が上記突起と係合し、これにより電池収納部３が軸（図示せず）を中心に回動し、これにより電池収納部３が補聴器２外に露出するようになっている。
【００１１】
この状態は、図４（ａ）に示す状態で、このように電池収納部３が補聴器２外に露出した状態は、例えば電池収納部３の回動により動作するスイッチ（図示せず）で検出される。すると、図３の制御回路１３により、第一、第二の充電端子駆動手段１１、１２が駆動され、これにより図４（ｂ）のごとく、第一、第二の充電端子９、１０が、電池８の両面に当接させられる。
【００１２】
この図４（ｂ）では、図３における電圧判定回路１４で電池８の電圧を測定し、その測定により電池８の電圧が低下し、充電必要と判定されると、図４（ｄ）の状態で、充電回路１５により、第一、第二の充電端子９、１０を介しての電池８充電が行われる。そして、この充電動作により、電池８に所定の充電が行われたか否かは、電池状態確認ボタン１６を押すことで、電池状態確認用ＬＥＤ１７で確認することができる。なお、電圧判定回路１４で電池８の電圧を測定し、その測定により電池８の電圧が低下しておらず、充電不要と判定されると、図４（ｃ）のごとく、第一、第二の充電端子駆動手段１１、１２により、第一、第二の充電端子９、１０が、電池８から離れた状態に移動させられる。
【００１３】
また、図４（ｄ）の状態で、充電回路１５により電池８の充電を行ったにもかかわらず、電池８の電圧が十分に高くならないときには、電池８の寿命が来たとして、図４（ｅ）のごとく、第一、第二の充電端子駆動手段１１、１２により、第一、第二の充電端子９、１０を右側に移動させる。すると、電池８は図４（ｆ）のごとく、排出路１８の上方へと移動させられ、その状態で第二の充電端子１０が、交換用電池５の供給路１９よりもさらに右側に移動されると、図４（ｇ）のごとく、電池８は排出路１８内に落下回収される。なお、排出路１８内においては回収された電池８の絶縁処理（例えば絶縁材の塗布）を行っている。
【００１４】
次に、図４（ｇ）では、第二の充電端子１０が、交換用電池５の供給路１９よりもさらに右側に移動したことにより、供給路１９内に充填していた交換用電池５が一つ落下する。すると、次のタイミングでは、図４（ｈ）のごとく、第二の充電端子１０が左方向、つまり電池収納部３側に移動され、これによって交換用電池５が電池収納部３内に押し込まれる。押し込まれた交換用電池５は事前に十分充電されていたものであるので、直ちに補聴器を使用することができるが、この図４（ｈ）において、図４（ｂ）のごとく電圧を測定し、図４（ｄ）のごとく充電することもできる。なお、排出路１８への電池落下、供給路１９からの交換用電池５落下をさせるためにも、本体ケース１内における第二の充電端子１０の下方に排出路１８を設けるとともに、この第二の充電端子１０上方に交換用電池５の供給路１９を設けている。
【００１５】
また、交換用電池５の供給路１９の下方には、交換用電池５の落下防止体２０を設けており、これは第二の充電端子１０の下方において、この第二の充電端子１０とは独立して移動するようになっている。つまり、落下防止体２０は、交換用電池５が供給路１９の下方に落下しないように設けたものであるが、図４（ｇ）から（ｈ）に示す交換用電池５の移動時には、落下防止体２０は駆動手段２１により排出路１８上にまで移動され、これにより交換用電池５が排出路１８に落下するのも防止している。なお、本実施形態においては、本体ケース１を携帯型とすべく、この本体ケース１内には大容量の電池２２を設けており、この電池２２により各部の駆動と、電池８の充電が行われる。
【産業上の利用可能性】
【００１６】
以上のように本発明は、補聴器の電池収納部が挿入される挿入口を有する本体ケースと、この本体ケース内において、前記補聴器の電池収納部を補聴器外に露出させる電池露出手段と、この露出後の電池収納部に収納された状態の電池に当接させる充電端子と、この充電端子を電池との当接側へ移動させる充電端子駆動手段と、前記充電端子を介して電池の電圧を確認する充電状態確認手段とを備え、前記充電状態確認手段により電池交換が必要と判断された時には、前記充電端子駆動手段により、前記電池を、電池収納部から補聴器外に排出する構成としたものであるので、充電作業を簡素化することができる。すなわち、本発明においては、電池の充電時には、補聴器の電池収納部を、充電装置の挿入口に挿入すれば、電池露出手段により、前記補聴器の電池収納部を補聴器外に露出させることができ、しかもこの露出後の電池収納部に収納された状態の電池に充電端子が当接されるので、この充電作業時に電池を取り出す必要が無く、よって充電作業は極めて簡単に行われるものとなる。また、充電時には、充電端子駆動手段により、この充電端子を電池との当接側へ移動させるが、この時前記充電端子を介して電池の電圧を充電状態確認手段で確認することができるので、前記充電状態確認手段により電池交換が必要と判断された時には、前記充電端子駆動手段により、前記電池を、電池収納部から補聴器外に排出することができるので、この電池交換も簡単に行えるものとなる。したがって、補聴器の充電装置として広く活用が期待される。
【符号の説明】
【００１７】
１    本体ケース
２    補聴器
３    電池収納部
４    挿入口
５    交換用電池
６    開口部
７    電池露出手段
８    電池
９    第一の充電端子
１０    第二の充電端子
１１  第一の充電端子駆動手段
１２  第二の充電端子駆動手段
１３    挿入路
１４    電圧判定回路
１５    充電回路
１６    電池状態確認ボタン
１７    電池状態確認用ＬＥＤ
１８    排出路
１９    供給路
２０    落下防止体
２１    駆動手段
２２    電池
【図１】
2010283640.tif 000003
【図２】
2010283640.tif 000004
【図３】
2010283640.tif 000005
【図４】
2010283640.tif 000006